【手続補正書】
【提出日】平成18年1月23日(2006.1.23)
【手続補正１】
【補正対象書類名】明細書
【補正対象項目名】発明の名称
【補正方法】変更
【補正の内容】
【発明の名称】印刷システム
【手続補正２】
【補正対象書類名】明細書
【補正対象項目名】特許請求の範囲
【補正方法】変更
【補正の内容】
【特許請求の範囲】
【請求項１】  少なくとも、ネットワークに通信可能に接続された印刷装置と、前記ネットワークおよび（または）前記印刷装置に通信可能に接続される通信端末と、を備えた印刷システムにおいて、
前記通信端末に内蔵されている個人識別情報（自局番号、自メールアドレス、所有者名）を、同じく通信端末で作成、取得した情報（電子メール、アドレス帳、インターネットコンテンツ）に付加し、かつ前記ネットワークを介してダウンロードした情報に付加して印刷する場合、前記情報に付随する広告による課金減額処理を実行すると共に、当該広告主に対して当該通信端末の利用情報を通知することを特徴とする印刷システム。
【請求項２】  少なくとも、ネットワークに通信可能に接続された印刷装置と、前記ネットワークおよび（または）前記印刷装置に通信可能に接続される通信端末と、を備えた印刷システムにおいて、
前記印刷装置の環境情報（設置場所、住所、店名、日時）を、前記通信端末で作成、取得した情報（電子メール、アドレス帳、インターネットコンテンツ）に付加し、かつ前記ネットワークを介してダウンロードした情報に付加して印刷する場合、前記情報に付随する広告による課金減額処理を実行すると共に、当該広告主に対して当該通信端末の利用情報を通知することを特徴とする印刷システム。
【請求項３】  少なくとも、ネットワークに通信可能に接続された印刷装置と、前記ネットワークおよび（または）前記印刷装置に通信可能に接続される通信端末と、を備えた印刷システムにおいて、
前記印刷装置の環境情報（設置場所、住所、店名、日時）を、前記通信端末に内蔵されている個人識別情報（自局番号、自メールアドレス、所有者名）に付加し、さらに同じく通信端末で作成、取得した情報（電子メール、アドレス帳、インターネットコンテンツ）に付加し、かつ前記ネットワークを介してダウンロードした情報に付加して印刷する場合、前記情報に付随する広告による課金減額処理を実行すると共に、当該広告主に対して当該通信端末の利用情報を通知することを特徴とする印刷システム。
【請求項４】  少なくとも、ネットワークに通信可能に接続された印刷装置と、前記ネットワークおよび（または）前記印刷装置に通信可能に接続され、電子メールとＷｅｂブラウズ可能な通信端末と、を備えた印刷システムにおいて、
前記通信端末で抽出された前記電子メール中の地図の位置情報を含むＵＲＬから当該情報を印刷する場合、前記ネットワーク経由で当該地図のＵＲＬに対応する情報を前記印刷装置にダウンロードすることを特徴とする印刷システム。
【請求項５】  少なくとも、ネットワークに通信可能に接続された印刷装置と、前記ネットワークおよび（または）前記印刷装置に通信可能に接続され、電子メールとＷｅｂブラウズ可能な通信端末と、を備えた印刷システムにおいて、
前記ネットワーク上の地図の位置情報やコメントを含むドキュメントを参照し、当該参照情報のＵＲＬを前記携帯電子機器に保存し、当該情報を印刷する場合、前記ネットワーク経由で当該情報のＵＲＬに対応する情報を前記印刷装置にダウンロードすることを特徴とする印刷システム。
【手続補正３】
【補正対象書類名】明細書
【補正対象項目名】０００１
【補正方法】変更
【補正の内容】
【０００１】
【発明の属する技術分野】
本発明は、インターネットに接続された印刷装置を用い、携帯電話などの携帯電子機器から所望の情報を印刷する印刷システムに関する。
【手続補正４】
【補正対象書類名】明細書
【補正対象項目名】００１２
【補正方法】変更
【補正の内容】
【００１２】
【課題を解決するための手段】
上記の目的を達成するために、請求項１にかかる印刷システムにあっては、少なくとも、ネットワークに通信可能に接続された印刷装置と、前記ネットワークおよび（または）前記印刷装置に通信可能に接続される通信端末と、を備えた印刷システムにおいて、前記印刷装置の環境情報（設置場所、住所、店名、日時）を、前記通信端末で作成、取得した情報（電子メール、アドレス帳、インターネットコンテンツ）に付加し、かつ前記ネットワークを介してダウンロードした情報に付加して印刷する場合、前記情報に付随する広告による課金減額処理を実行すると共に、当該広告主に対して当該通信端末の利用情報を通知するものである。
【手続補正５】
【補正対象書類名】明細書
【補正対象項目名】００１３
【補正方法】変更
【補正の内容】
【００１３】
この発明によれば、通信端末から印刷装置に接続し、通信端末に内蔵されている個人識別情報（自局番号、自メールアドレス、所有者名）を、同じく通信端末で作成、取得した情報（電子メール、アドレス帳、インターネットコンテンツ）に付加し、かつネットワークを介してダウンロードした情報に付加して印刷する場合に、広告情報に関する課金減額を実行することにより、広告内容に応じた減額が可能になると共に、広告主にユーザ情報を所定の手段で通知することにより、広告主に利用頻度やユーザ情報をフィードバックすることが可能になる。
【手続補正６】
【補正対象書類名】明細書
【補正対象項目名】００１４
【補正方法】変更
【補正の内容】
【００１４】
また、請求項２にかかる印刷システムにあっては、少なくとも、ネットワークに通信可能に接続された印刷装置と、前記ネットワークおよび（または）前記印刷装置に通信可能に接続される通信端末と、を備えた印刷システムにおいて、前記印刷装置の環境情報（設置場所、住所、店名、日時）を、前記通信端末で作成、取得した情報（電子メール、アドレス帳、インターネットコンテンツ）に付加し、かつ前記ネットワークを介してダウンロードした情報に付加して印刷する場合、前記情報に付随する広告による課金減額処理を実行すると共に、当該広告主に対して当該通信端末の利用情報を通知するものである。
【手続補正７】
【補正対象書類名】明細書
【補正対象項目名】００１５
【補正方法】変更
【補正の内容】
【００１５】
この発明によれば、通信端末から印刷装置に接続し、印刷装置の環境情報（設置場所、住所、店名、日時）を、前記通信端末で作成、取得した情報（電子メール、アドレス帳、インターネットコンテンツ）に付加し、かつネットワークを介してダウンロードした情報に付加して印刷する場合、前記情報に付随する広告による課金減額処理を実行すると共に、当該広告主に対して当該通信端末の利用情報を通知することにより、広告主に利用頻度やユーザ情報をフィードバックすることが可能になる。
【手続補正８】
【補正対象書類名】明細書
【補正対象項目名】００１６
【補正方法】変更
【補正の内容】
【００１６】
また、請求項３にかかる印刷システムにあっては、少なくとも、ネットワークに通信可能に接続された印刷装置と、前記ネットワークおよび（または）前記印刷装置に通信可能に接続される通信端末と、を備えた印刷システムにおいて、前記印刷装置の環境情報（設置場所、住所、店名、日時）を、前記通信端末に内蔵されている個人識別情報（自局番号、自メールアドレス、所有者名）に付加し、さらに同じく通信端末で作成、取得した情報（電子メール、アドレス帳、インターネットコンテンツ）に付加し、かつ前記ネットワークを介してダウンロードした情報に付加して印刷する場合、前記情報に付随する広告による課金減額処理を実行すると共に、当該広告主に対して当該通信端末の利用情報を通知するものである。
【手続補正９】
【補正対象書類名】明細書
【補正対象項目名】００１７
【補正方法】変更
【補正の内容】
【００１７】
この発明によれば、通信端末から印刷装置に接続し、印刷装置の環境情報（設置場所、住所、店名、日時）を、前記通信端末に内蔵されている個人識別情報（自局番号、自メールアドレス、所有者名）に付加し、さらに同じく通信端末で作成、取得した情報（電子メール、アドレス帳、インターネットコンテンツ）に付加し、かつネットワークを介してダウンロードした情報に付加して印刷する場合、前記情報に付随する広告による課金減額処理を実行すると共に、当該広告主に対して当該通信端末の利用情報を通知することにより、広告主に利用頻度やユーザ情報をフィードバックすることが可能になる。
【手続補正１０】
【補正対象書類名】明細書
【補正対象項目名】００１８
【補正方法】変更
【補正の内容】
【００１８】
また、請求項４にかかる印刷システムにあっては、少なくとも、ネットワークに通信可能に接続された印刷装置と、前記ネットワークおよび（または）前記印刷装置に通信可能に接続され、電子メールとＷｅｂブラウズ可能な通信端末と、を備えた印刷システムにおいて、前記通信端末で抽出された前記電子メール中の地図の位置情報を含むＵＲＬから当該情報を印刷する場合、前記ネットワーク経由で当該地図のＵＲＬに対応する情報を前記印刷装置にダウンロードするものである。
【手続補正１１】
【補正対象書類名】明細書
【補正対象項目名】００１９
【補正方法】変更
【補正の内容】
【００１９】
この発明によれば、通信端末で所望の地図情報を検索し、その詳細情報を確認する際に、検索された電子メール中の地図の位置情報を含むＵＲＬから、ネットワーク経由で当該地図のＵＲＬに対応する情報を印刷装置にダウンロードして印刷することにより、パーソナルコンピュータを使用することなく、通信端末から高解像度の印刷情報の出力が可能になる。
【手続補正１２】
【補正対象書類名】明細書
【補正対象項目名】００２０
【補正方法】変更
【補正の内容】
【００２０】
また、請求項５にかかる印刷システムにあっては、少なくとも、ネットワークに通信可能に接続された印刷装置と、前記ネットワークおよび（または）前記印刷装置に通信可能に接続され、電子メールとＷｅｂブラウズ可能な通信端末と、を備えた印刷システムにおいて、前記ネットワーク上の地図の位置情報やコメントを含むドキュメントを参照し、当該参照情報のＵＲＬを前記携帯電子機器に保存し、当該情報を印刷する場合、前記ネットワーク経由で当該情報のＵＲＬに対応する情報を前記印刷装置にダウンロードするものである。
【手続補正１３】
【補正対象書類名】明細書
【補正対象項目名】００２１
【補正方法】変更
【補正の内容】
【００２１】
この発明によれば、ネットワーク上の地図の位置情報やコメントを含むドキュメントを参照し、当該参照情報のＵＲＬを通信端末に保存し、当該情報を印刷する場合、ネットワーク経由で当該情報のＵＲＬに対応する情報を前記印刷装置にダウンロードすることにより、パーソナルコンピュータの出力画面用の高解像度の地図情報などが得られる。
【手続補正１４】
【補正対象書類名】明細書
【補正対象項目名】００２２
【補正方法】変更
【補正の内容】
【００２２】
【発明の実施の形態】
以下、本発明にかかる印刷システムの好適な実施の形態について添付図面を参照し、詳細に説明する。なお、本発明はこの実施の形態に限定されるものではない。
【手続補正１５】
【補正対象書類名】明細書
【補正対象項目名】００６１
【補正方法】変更
【補正の内容】
【００６１】
【発明の効果】
以上説明したように、本発明にかかる印刷システム（請求項１）によれば、通信端末から印刷装置に接続し、通信端末に内蔵されている個人識別情報（自局番号、自メールアドレス、所有者名）を、同じく通信端末で作成、取得した情報（電子メール、アドレス帳、インターネットコンテンツ）に付加し、かつネットワークを介してダウンロードした情報に付加して印刷する場合に、広告情報に関する課金減額を実行するため、広告内容に応じた確実な減額実現すると共に、広告主にユーザ情報を所定の手段で通知することにより、広告主に利用頻度やユーザ情報をフィードバックすることが可能になるので、その情報にしたがった的確なサービスが実現する。
【手続補正１６】
【補正対象書類名】明細書
【補正対象項目名】００６２
【補正方法】変更
【補正の内容】
【００６２】
また、本発明にかかる印刷システム（請求項２）によれば、通信端末から印刷装置に接続し、印刷装置の環境情報（設置場所、住所、店名、日時）を、前記通信端末で作成、取得した情報（電子メール、アドレス帳、インターネットコンテンツ）に付加し、かつネットワークを介してダウンロードした情報に付加して印刷する場合、前記情報に付随する広告による課金減額処理を実行するため、確実な課金処理が実現すると共に、当該広告主に対して当該通信端末の利用情報を通知することにより、広告主に利用頻度やユーザ情報をフィードバックすることが可能になるので、その情報にしたがった的確なサービスが実現する。
【手続補正１７】
【補正対象書類名】明細書
【補正対象項目名】００６３
【補正方法】変更
【補正の内容】
【００６３】
また、本発明にかかる印刷システム（請求項３）によれば、通信端末から印刷装置に接続し、印刷装置の環境情報（設置場所、住所、店名、日時）を、前記通信端末に内蔵されている個人識別情報（自局番号、自メールアドレス、所有者名）に付加し、さらに同じく通信端末で作成、取得した情報（電子メール、アドレス帳、インターネットコンテンツ）に付加し、かつネットワークを介してダウンロードした情報に付加して印刷する場合、前記情報に付随する広告による課金減額処理を実行するため、確実な課金が実現すると共に、当該広告主に対して当該通信端末の利用情報を通知することにより、広告主に利用頻度やユーザ情報をフィードバックすることが可能になるので、その情報にしたがった的確なサービスが実現する。
【手続補正１８】
【補正対象書類名】明細書
【補正対象項目名】００６４
【補正方法】変更
【補正の内容】
【００６４】
また、本発明にかかる印刷システム（請求項４）によれば、通信端末で所望の地図情報を検索し、その詳細情報を確認する際に、検索された電子メール中の地図の位置情報を含むＵＲＬから、ネットワーク経由で当該地図のＵＲＬに対応する情報を印刷装置にダウンロードして印刷することが可能であるため、パーソナルコンピュータを使用することなく、通信端末と印刷装置を接続するだけで、通信端末から高解像度の印刷情報を出力することができる。
【手続補正１９】
【補正対象書類名】明細書
【補正対象項目名】００６５
【補正方法】変更
【補正の内容】
【００６５】
また、本発明にかかる印刷システム（請求項５）によれば、ネットワーク上の地図の位置情報やコメントを含むドキュメントを参照し、当該参照情報のＵＲＬを通信端末に保存し、当該情報を印刷する場合、ネットワーク経由で当該情報のＵＲＬに対応する情報を印刷装置にダウンロードすることが可能なため、パーソナルコンピュータの出力画面用の高解像度の地図情報などを印刷情報として得ることができる。